(57)【特許請求の範囲】
【請求項１】
食器洗浄機の洗浄槽内に設置される、下カゴと、下カゴの後部上方に設けられた上カゴとを備える食器カゴであって、
上カゴは、下カゴの後部の横方向両側部に立設した立上り部の上端部に設けた第１軸部に後端部において揺動自在に連結されて、上方に起立した起立位置と前方に倒れた倒伏位置とに起伏自在な本体部と、本体部を倒伏位置にしたときに本体部の後端より後方に張り出す後棚部とを備え、後棚部は、本体部を倒伏位置にしたときに第１軸部より前方に位置する本体部の部分に設けた第２軸部に前端部において揺動自在に連結されるものにおいて、
立上り部の上端部の第１軸部より後方に位置する部分に、上カゴの本体部を起立位置にしたときに後棚部が本体部より下方に垂れ下がることを後棚部に当接して阻止するストッパ部が設けられていることを特徴とする食器洗浄機用食器カゴ。
【発明の詳細な説明】
【技術分野】
【０００１】
本発明は、食器洗浄機の洗浄槽内に設置される食器洗浄機用食器カゴに関する。
【背景技術】
【０００２】
従来、この種の食器カゴとして、特許文献１により、下カゴと、下カゴの後部上方に設けられた上カゴとを備えるものが知られている。このもので上カゴは、下カゴの後部の横方向両側部に立設した立上り部の上端部に設けた第１軸部に後端部において揺動自在に連結されて、上方に起立した起立位置と前方に倒れた倒伏位置とに起伏自在な本体部と、本体部を倒伏位置にしたときに本体部の後端より後方に張り出す後棚部とを備えている。そして、後棚部は、本体部を倒伏位置にしたときに第１軸部より前方に位置する本体部の部分に設けた第２軸部に前端部において揺動自在に連結されている。
【０００３】
これによれば、上カゴの本体部を倒伏位置にして、本体部の前部や後棚部の上にコップ、湯飲み茶碗等の食器を上下反転して載置することにより、これらの食器を洗浄することができる。また、上カゴの本体部を起立位置にすれば、下カゴの後部に食器をセットする際に上カゴが邪魔にならない。ここで、本体部を起立位置にすると、倒伏位置で本体部より後方に張り出す後棚部の後部が本体部より下方に垂れ下がるが、後棚部は本体部に対し第２軸部を支点にして揺動自在であるため、下カゴの後部に食器をセットする際に後棚部に食器が当たっても、食器に押されて後棚部が後方に揺動し、食器がセット不能になることはない。
【０００４】
然し、食器の形状によっては、下カゴの後部に食器をセットする際に、後棚部に食器が引っ掛ることがある。この場合は、後棚部を手で後方に揺動させてから食器をセットすることが必要になり、下カゴの後部への食器のセット性が悪くなる。また、第２軸部に食べ残し滓などが付着して後棚部が円滑に揺動しなくなると、食器が本体部から垂れ下がる後棚部に当接したときに本体部が前方に倒れて、下カゴの後部に食器をセットしにくくなることもある。
【特許文献１】特開２００４−３５１０８２号公報
【発明の開示】
【発明が解決しようとする課題】
【０００５】
本発明は、以上の点に鑑み、上記従来例を改良して、下カゴの後部への食器のセット性をより向上できるようにした食器洗浄機用食器カゴを提供することをその課題としている。
【課題を解決するための手段】
【０００６】
上記課題を解決するために、本発明は、食器洗浄機の洗浄槽内に設置される、下カゴと、下カゴの後部上方に設けられた上カゴとを備える食器カゴであって、上カゴは、下カゴの後部の横方向両側部に立設した立上り部の上端部に設けた第１軸部に後端部において揺動自在に連結されて、上方に起立した起立位置と前方に倒れた倒伏位置とに起伏自在な本体部と、本体部を倒伏位置にしたときに本体部の後端より後方に張り出す後棚部とを備え、後棚部は、本体部を倒伏位置にしたときに第１軸部より前方に位置する本体部の部分に設けた第２軸部に前端部において揺動自在に連結されるものにおいて、立上り部の上端部の第１軸部より後方に位置する部分に、上カゴの本体部を起立位置にしたときに後棚部が本体部より下方に垂れ下がることを後棚部に当接して阻止するストッパ部が設けられていることを特徴とする。
【０００７】
本発明によれば、上カゴの本体部を起立位置にしたとき、ストッパ部の働きで後棚部は本体部より下方に垂れ下がらない。そのため、下カゴの後部に食器をセットする際に、食器が後棚部に当接することを防止でき、食器のセット性が可及的に向上する。
【発明を実施するための最良の形態】
【０００８】
図１を参照して、１は食器洗浄機を示している。この食器洗浄機１には、前方に引出し自在な洗浄槽２が内蔵されている。洗浄槽２の天井部は開閉自在な上蓋２１で構成されている。上蓋２１は、洗浄槽２を機外に引き出すときに図外の開閉機構により上動されて洗浄槽２から離脱する。また、洗浄槽２には前面扉２２が連結されている。
【０００９】
洗浄槽２には図外の給水弁を介して洗浄水が供給される。洗浄槽２の前部の底部には、洗浄槽２内に残菜フィルタ２３を介して連通する液溜り部２４が設けられている。そして、洗浄槽２の底部下側に液溜り部２４に連通する洗浄・排水ポンプ３が設置されている。洗浄・排水ポンプ３は、正転させたときに後述するノズルに洗浄水を供給し、逆転させたときに洗浄槽２からの排水を行う。
【００１０】
洗浄槽２内には食器類を載置する食器カゴ４が収納されている。食器カゴ４より下方の洗浄槽２内の部分には水平方向に長手の下ノズル５が配置されている。下ノズル５は、その長手方向中央部で鉛直軸線回りに旋回自在に支持されている。そして、洗浄・排水ポンプ３から洗浄水が供給されたとき、下ノズル５の複数のノズル孔５ａから洗浄水が食器カゴ４に向けて噴出され、洗浄水の噴出反力で下ノズル５が旋回する。また、下ノズル４の長手方向中央部にはセンターノズル６が立設されている。センターノズル６は下半部６１と下半部６１に上下動自在に挿設された上半部６２とで構成されている。洗浄・排水ポンプ３から洗浄水が供給されたとき、センターノズル６は下ノズル５と共に旋回しつつ水圧による上半部６２の上動で上方にのびる。そして、センターノズル６の上半部６２に形成した複数のノズル孔６２ａから洗浄水が噴出される。また、センターノズル６の下半部６１の上端には、上カゴ４２に上下反転して載置する食器Ｗの下向きの開口端に向けて洗浄水を噴出させるためのノズル孔６１ａが形成されている。
【００１１】
図２及び図３も参照して、食器カゴ４は、下カゴ４１と、下カゴ４１の後部上方に設けられる上カゴ４２とを備えている。下カゴ４１の後部の横方向両側部には立上り部４１１，４１１が立設されている。上カゴ４２は、立上り部４１１の上端部に設けた横方向の第１軸部４１２に後端部において揺動自在に連結されて、上方に起立した起立位置と前方に倒れた倒伏位置とに起伏自在な本体部４３と、本体部４３の後部に連結される後棚部４４と、本体部４３の前部に連結される前棚部４５とを備えている。下カゴ４１の両立上り部４１１，４１１の後端間には、後棚部４４に載置した食器Ｗを後方から支える後ガード４１３が横設されている。
【００１２】
本体部４３は、上下方向に波形に屈曲する左右一対の縦棒部４３１，４３１と、両縦棒部４３１，４３１間に横設した、後棚部４４に載置する食器Ｗの前部が載る横棒部４３２と、前棚部４４に載置した食器Ｗを後方から支える中間ガード部４３３とを有する。各縦棒部４３１の後端には、第１軸部４１２に対する係合部４３４が形成されており、本体部４３が係合部４３４において第１軸部４１２に揺動自在に連結される。また、立上り部４１１の前端には、本体部４３を倒伏位置にしたときに縦棒部４３１に当接して本体部４３を支える支え部４１４が設けられている。
【００１３】
また、本体部４３を倒伏位置にしたときに第１軸部４１２より前方に位置する縦棒部４３１の部分には、横方向にＵ字状に屈曲する棒材４３５が取り付けられている。そして、この棒材４３５の前側の棒部で構成される横方向の第２軸部４３６に後棚部４４がその前端部において揺動自在に連結されている。
【００１４】
後棚部４４は、後端の横棒部４４１と、この横棒部４４１の左右両端から前方に屈曲してのびる左右一対の縦棒部４４２，４４２と、両縦棒部４４２，４４２間に横設した、後棚部４４に載置する食器Ｗが載る横棒部４４３とを有する。各縦棒部４４２の前端には上記第２軸部４３６に対する係合部４４４が形成されており、後棚部４４が係合部４４４において第２軸部４３６に揺動自在に連結される。本体部４３を倒伏位置にしたときは、後棚部４４が上記Ｕ字状棒材４３５の後側の棒部により支えられて、食器Ｗを載置可能な姿勢に保持される。そして、この状態では、後棚部４４が本体部４３の後端より後方に張り出す。
【００１５】
前棚部４５は、左右一対の縦棒部４５１，４５１と、両縦棒部４５１，４５１間に横設した、前棚部４５に載置する食器Ｗが載る前後一対の横棒部４５２，４５２と、両縦棒部４５１，４５１の前端間に横設した、前棚部４５に載置した食器Ｗが前方にずれ落ちることを防止する前ガード部４５３とを有する。各縦棒部４５１の後端には、本体部４３の各縦棒部４３１の前部に取付けたＵ字状棒材４３７の後側の棒部で構成される横方向の第３軸部４３８に対する係合部４５４が形成されており、前棚部４５が係合部４５４において第３軸部４３８に揺動自在に連結される。本体部４３を倒伏位置にしたときは、前棚部４５がＵ字状棒材４３７の前側の棒部により支えられて、食器Ｗを載置可能な姿勢に保持される。そして、この状態では、前棚部４５が本体部４３の前端より前方に張り出す。
【００１６】
下カゴ４１の後部に皿等の食器Ｗ´をセットする際は、上カゴ４２が邪魔にならないよう、上カゴ４２の本体部４３を第１軸部４１２を支点にして図４に示す如く起立位置に揺動させる。この際、前棚部４５を第３軸部４３８を支点にして後方に折り畳んでおく。これによれば、起立位置の本体部４３の上方に前棚部４５が突出しない。従って、洗浄槽２の高さ寸法を大きくしなくても、洗浄槽２の天井部の上蓋２１に前棚部４５は干渉せず、洗浄槽２の大型化を回避できる。
【００１７】
また、本実施形態では、下カゴ４１の後部の横方向片側の立上り部４１１の上端部に、第１軸部４１２より後方に位置させて、後棚部４４用のストッパ部４１５を設けている。そして、上カゴ４２の本体部４３を起立位置にしたときに、後棚部４４の縦棒部４４２にストッパ部４１５が当接して、後棚部４４が本体部４３より下方に垂れ下がることが阻止されるようにしている。
【００１８】
これによれば、下カゴ４１の後部に食器Ｗ´をセットする際に、食器Ｗ´が後棚部４４に当接することを防止できる。そのため、下カゴ４１の後部への食器Ｗ´のセット性が可及的に向上する。
【００１９】
尚、本実施形態では、本体部４３を起立位置にしたときにのみ、後棚部４４にストッパ部４１５が当接するようにしているが、上記Ｕ字状棒材４３５の後側の棒部による後棚部４４の支えを省略し、本体部４３が倒伏位置に存するときにも、ストッパ部４１５で後棚部４４を支えるように構成することも可能である。
【図面の簡単な説明】
【００２０】
【図１】本発明の実施形態の食器カゴを具備する食器洗浄機の切断側面図。
【図２】実施形態の食器カゴの斜視図。
【図３】実施形態の食器カゴの平面図。
【図４】実施形態の食器カゴの上カゴの本体部を起立位置にしたときの状態を示す要部の側面図。
【符号の説明】
【００２１】
１…食器洗浄機、２…洗浄槽、４…食器カゴ、４１…下カゴ、４１１…立上り部、４１２…第１軸部、４１５…ストッパ部、４２…上カゴ、４３…本体部、４３６…第２軸部、４４…後棚部。
【図１】
0004771339.tif 000002
【図２】
0004771339.tif 000003
【図３】
0004771339.tif 000004
【図４】
0004771339.tif 000005